(57)【要約】      （修正有）【課題】冷却効果が高く、冷却効果の長時間化、製造工程の簡略化、製造コストの低廉化が可能な冷却パックユニットを提供する。【解決手段】ガス透過性・水分不透過性合成樹脂シート製の表層３及び裏層４とから成ると共に、扁平状袋体２の内部に収納されて高圧冷却ガスの冷却成分により冷却される蓄冷層を有して構成される冷却パックシート１であって、冷却ガス注入口２１が、扁平状袋体２の縁部乃至は縁部近傍に形成された開口から構成され、冷却ガス注入口２１に連接して、冷却ガス注入口２１である開口の両端部分から扁平状袋体２の内方向に向かって延伸した状態で表層３と裏層４とを熱溶着２４によってガス導入路２３が形成され、ガス排気口２２が、冷却ガス注入口２１の開口の一方又は両方の隣接部乃至は近傍に形成された開口から構成され、冷却ガス注入口２１とガス排気口２２を除く扁平状袋体２の全周が閉塞された構成である。【選択図】図１
2013217611.tif 000002
【特許請求の範囲】
【請求項１】
ガス透過性であると共に水分不透過性である合成樹脂シート製の表層及び裏層とから成ると共に、高圧冷却ガスを注入する冷却ガス注入口と排気するガス排気口とを有する扁平状袋体と、
該扁平状袋体の内部に収納され、該扁平状袋体の内部に注入される前記高圧冷却ガスの冷却成分により冷却される蓄冷層と、
を有して構成される冷却パックシートであって、
前記冷却ガス注入口が、前記扁平状袋体の縁部乃至は縁部近傍に形成された開口から構成され、
前記冷却ガス注入口に連接して、該冷却ガス注入口である開口の両端部分から扁平状袋体の内方向に向かって延伸した状態で前記表層と裏層とを熱溶着することによってガス導入路が形成され、
前記ガス排気口が、前記冷却ガス注入口の開口の一方又は両方の隣接部乃至は近傍に形成された開口から構成され、
前記冷却ガス注入口とガス排気口を除く前記扁平状袋体の全周が閉塞された構成であること、
を特徴とする冷却パックシート。
【請求項２】
前記蓄冷層が、前記高圧冷却ガスの冷却成分である液化ガスを吸収する吸収材、及び／又は、前記高圧冷却ガスの冷却成分である液化ガスの冷却によって保冷・蓄冷される蓄冷材、とから構成されていることを特徴とする請求項１に記載の冷却パックシート。
【請求項３】
前記ガス導入路が、前記扁平状袋体の略中央方向に向かって延伸していることを特徴とする請求項１又は２に記載の冷却パックシート。
【請求項４】
前記ガス注入口とガス排気口を除く前記扁平状袋体の表層及び裏層の縁部全周が熱溶着されていることを特徴とする請求項１〜３のいずれかに記載の冷却パックシート。
【請求項５】
前記扁平状袋体の表層と裏層とが、縁部全周以外の複数箇所で一部分だけ熱溶着されていることを特徴とする請求項１〜４のいずれかに記載の冷却パックシート。
【請求項６】
前記扁平状袋体の表層及び裏層の一方又は両方の表面がベルベット状乃至はモールスキン状の起毛処理が施された構成であることを特徴とする請求項１〜５のいずれかに記載の冷却パックシート。
【請求項７】
請求項１〜６のいずれかに記載の冷却パックシートと、前記冷却ガス注入口からガス導入路に挿通可能な注入管部を有する高圧冷却ガススプレー容器と、を有して構成されることを特徴とする冷却パックシステム。
【請求項８】
請求項１〜７のいずれかに記載の冷却パックシートを、
（１）水に濡らし、
（２）扁平状袋体の表層及び裏層に水気を残した状態で絞り、
（３）高圧冷却ガスを冷却ガス注入口から導入路を介して扁平状袋体の内部に注入し、
（４）冷却した冷却パックシートを、額、首筋、関節部、炎症患部の如き冷やしたい箇所にあてたり、冷やしたい箇所に近接する包帯・サポータ・ヘッドバンド・ヘアバンド・リストバンド・鉢巻・帽子・ヘルメット・衣類・作業着・作業防具・靴類に収納又は取付けたりして用いること、
を特徴とする冷却パックシートの利用法。
【発明の詳細な説明】
【技術分野】
【０００１】
本発明は冷却パックシート、冷却パックシステム及び冷却パックシートの利用法に関し、詳しくは炎症患部の冷却効果や暑気の涼感効果を促す冷却パックシート、冷却パックシステム及び冷却パックシートの利用法に関する。
【背景技術】
【０００２】
夏季の酷暑時や熱所等で冷却効果や涼感効果を促す技術としては、例えば、特許文献１に記載のもの等が知られている。
【０００３】
特許文献１に記載の技術は、タオル地により開閉可能な開口を有する収納袋を形成し、この中に、フィルム製扁平状袋部を有する冷却パックを収納した冷却タオルによって冷却効果を得るものである。
【０００４】
しかし特許文献１の技術では、洗濯の度に収納袋から冷却パックを取り出す必要があり、面倒であるだけでなく、取り出し忘れによって洗濯してしまった際には破損のおそれがあるという問題点を有している。また、冷却効果も高いとは言えず、収納するタオル地の厚みや織目等によっては充分な冷却感を得ることができないという不都合さえある。
【０００５】
そこで本発明者は、上記した従来の課題を解決するために、高圧冷却ガスの冷却成分である液化ガスを吸収する保冷シートを含む洗濯可能な３層シートから成ると共に、高圧冷却ガス注入口とガス排気口とを有する扁平状袋部の前記高圧冷却注入口に高圧冷却ガスを注入するためのチューブを熱溶着した構成とすることにより、冷却効果が高く、しかも洗濯可能な冷却パックユニットを先に提案した（特許文献２参照）。
【先行技術文献】
【特許文献】
【０００６】
【特許文献１】特許第２５９８８６４号
【特許文献２】特開２０１０−２８６１３９号
【発明の概要】
【発明が解決しようとする課題】
【０００７】
本発明者は、先提案技術について更に研究を続けた結果、冷却効果の長時間化、製造工程の簡略化、製造コストの低廉化の点で更なる改良の余地があることが判った。
【０００８】
そこで本発明の課題は、冷却効果が高く、しかも冷却効果の長時間化、製造工程の簡略化、製造コストの低廉化が可能な冷却パックシート、冷却パックシステム及び冷却パックシートの利用法を提供することにある。
【課題を解決するための手段】
【０００９】
上記課題を解決する本発明は下記構成を有する。
【００１０】
１．ガス透過性であると共に水分不透過性である合成樹脂シート製の表層及び裏層とから成ると共に、高圧冷却ガスを注入する冷却ガス注入口と排気するガス排気口とを有する扁平状袋体と、
該扁平状袋体の内部に収納され、該扁平状袋体の内部に注入される前記高圧冷却ガスの冷却成分により冷却される蓄冷層と、
を有して構成される冷却パックシートであって、
前記冷却ガス注入口が、前記扁平状袋体の縁部乃至は縁部近傍に形成された開口から構成され、
前記冷却ガス注入口に連接して、該冷却ガス注入口である開口の両端部分から扁平状袋体の内方向に向かって延伸した状態で前記表層と裏層とを熱溶着することによってガス導入路が形成され、
前記ガス排気口が、前記冷却ガス注入口の開口の一方又は両方の隣接部乃至は近傍に形成された開口から構成され、
前記ガス注入口とガス排気口を除く前記扁平状袋体の全周が閉塞された構成であること、
を特徴とする冷却パックシート。
【００１１】
２．前記蓄冷層が、前記高圧冷却ガスの冷却成分である液化ガスを吸収する吸収材、及び／又は、前記高圧冷却ガスの冷却成分である液化ガスの冷却によって保冷・蓄冷される蓄冷材、とから構成されていることを特徴とする上記１に記載の冷却パックシート。
【００１２】
３．前記ガス導入路が、前記扁平状袋体の略中央方向に向かって延伸していることを特徴とする上記１又は２に記載の冷却パックシート。
【００１３】
４．前記ガス注入口とガス排気口を除く前記扁平状袋体の表層及び裏層の縁部全周が熱溶着されていることを特徴とする上記１〜３のいずれかに記載の冷却パックシート。
【００１４】
５．前記扁平状袋体の表層と裏層とが、縁部全周以外の複数箇所で一部分だけ熱溶着されていることを特徴とする上記１〜４のいずれかに記載の冷却パックシート。
【００１５】
６．前記扁平状袋体の表層及び裏層の一方又は両方の表面がベルベット状乃至はモールスキン状の起毛処理が施された構成であることを特徴とする上記１〜５のいずれかに記載の冷却パックシート。
【００１６】
７．上記１〜６のいずれかに記載の冷却パックシートと、前記冷却ガス注入口からガス導入路に挿通可能な注入管部を有する高圧冷却ガススプレー容器と、を有して構成されることを特徴とする冷却パックシステム。
【００１７】
８．上記１〜７のいずれかに記載の冷却パックシートを、
（１）水に濡らし、
（２）扁平状袋体の表層及び裏層に水気を残した状態で絞り、
（３）高圧冷却ガスを冷却ガス注入口から導入路を介して扁平状袋体の内部に注入し、
（４）冷却した冷却パックシートを、額、首筋、関節部、炎症患部の如き冷やしたい箇所にあてたり、冷やしたい箇所に近接する包帯・サポータ・ヘッドバンド・ヘアバンド・リストバンド・鉢巻・帽子・ヘルメット・衣類・作業着・作業防具・靴類に収納又は取付けたりして用いること、
を特徴とする冷却パックシートの利用法。
【発明の効果】
【００１８】
請求項１、７又は８に示す発明によれば、冷却効果が高く、しかも冷却持続時間の長時間化、製造工程の簡略化、製造コストの低廉化が可能な冷却パックシート、冷却パックシステム及び冷却パックシートの利用法を提供することができる。
【００１９】
特に、冷却ガス注入口を扁平状袋体に形成した開口とし、該開口から延伸した状態で扁平状袋体の表層と裏層とを熱溶着して導入路を形成した構成したことにより、先提案技術に比して、製造工程の簡略化、製造コストの低廉化が可能である。
【００２０】
更に、冷却ガス注入口から扁平状袋体の内部に注入される高圧冷却ガスは、扁平状袋体の内方向に向かって延伸したガス導入路を通って該内部の奥部から隅部まで隈なく注入された後に、ガス冷却口の近くに形成されたガス排気口から排気される構成としたことにより、液化ガスによる蓄冷を冷却パックシート全域に均一化した状態で行き渡らせることができる（図３の点線の矢符参照）。従って、冷却効果が高くなるだけでなく、冷却持続時間の長時間化が可能となる。
【００２１】
請求項２に示す発明によれば、高い冷却効果や涼感効果を得ることができ、しかも高い蓄冷効果を得ることができる。
【００２２】
請求項３に示す発明によれば、高圧冷却ガスを確実に扁平状袋体の内部の奥部まで充分に充填した状態で注入することができる。
【００２３】
請求項４に示す発明によれば、高圧冷却ガスをより確実に扁平状袋体の内部の隅部まで充分に充填した状態で注入することができる。
【００２４】
請求項５に示す発明によれば、高圧冷却ガス注入時の注入ガスによる膨らみを抑制することができ、しかも扁平状袋体の奥部から隅部まで隈なく充填した状態での高圧冷却ガスの速やかな注入が可能となる。
【００２５】
請求項６に示す発明によれば、肌触りがよいので直接肌に触れた状態で使用することができ、しかも刺激的な冷感を抑制することができる。また、表層及び裏層の表面が含有する水分量が増えることから気化熱効果が向上するので、より高い冷却効果を得ることができる。
【図面の簡単な説明】
【００２６】
【図１】本発明に係る冷却パックシートの一実施例を示す概略構成図
【図２】冷却パックシートの扁平状袋体の層構成の一例を示す要部概略断面図
【図３】本発明に係る冷却パックシートの利用法の一実施例を説明する概略構成図
【発明を実施するための形態】
【００２７】
次に、添付の図面に従って本発明を詳細に説明する。
【００２８】
本発明に係る冷却パックシートは、冷却した冷却パックシートを、額、首筋、関節部、炎症患部の如き冷やしたい箇所にあてたり、冷やしたい箇所に近接する包帯・サポータ・ヘッドバンド・ヘアバンド・リストバンド・鉢巻・帽子・ヘルメット・衣類・作業着・作業防具・靴類に収納又は取付けたりして用いることによって、炎症患部の冷却や夏季の酷暑時や熱所等での冷却効果や涼感効果を促すためのものである。
【００２９】
本発明の冷却パックシートの具体的構成としては、図１〜図３に示す実施例では、
ガス透過性であると共に水分不透過性である合成樹脂シート製の表層３及び裏層４とから成ると共に、高圧冷却ガスを注入する冷却ガス注入口２１と排気するガス排気口２２とを有する扁平状袋体２と、
該扁平状袋体２の内部に収納され、該扁平状袋体２の内部に注入される前記高圧冷却ガスの冷却成分により冷却される蓄冷層５と、
を有して構成される冷却パックシート１であって、
前記冷却ガス注入口２１が、前記扁平状袋体２の縁部乃至は縁部近傍（本実施例では縁部）に形成された開口から構成され、
前記冷却ガス注入口２１に連接して、該冷却ガス注入口２１である開口の両端部分から扁平状袋体２の内方向に向かって延伸した状態で前記表層３と裏層４とを熱溶着してガス導入路２３（図１及び図３の熱溶着部２４・２４の間の部分）が形成され、
前記ガス排気口２２が、前記冷却ガス注入口２１の開口の一方又は両方の隣接部乃至は近傍（本実施例では両方の隣接部）に形成された開口から構成され、
前記冷却ガス注入口２１とガス排気口２２を除く前記扁平状袋体２の全周が閉塞された構成であること、
を主構成とするものである。
【００３０】
次に、各構成部材について実施例に基づき更に説明する。
【００３１】
扁平状袋体２を構成する表層３及び裏層４としては、前記したようにガス透過性であると共に水分不透過性である合成樹脂シート製から成り、かかる合成樹脂シートとしては、ゴアテックス（登録商標）、ドライテック（登録商標）、エントラント（登録商標）、ベルグテック（登録商標）等に代表される防水透湿性材料製シートを挙げることができる。
【００３２】
また、前記扁平状袋体２の表層３及び裏層４の一方又は両方の表面がベルベット状乃至はモールスキン状の天然素材又は合成樹脂素材による起毛処理が施された構成であることが好ましい。かかる起毛処理は、扁平状袋体２の表面が含有する水分量が増えることによって気化熱効果が向上し、より高い冷却効果を得ることができることから、表層３及び裏層４の両方の表面に施されていることが好ましい。
【００３３】
また、表層３及び裏層４とから構成される扁平状袋体２は、前記ガス注入口２１とガス排気口２２を除く縁部全周で表層３と裏層４とが熱溶着されていることが好ましい。図１〜図３において、符号２５として示す部分が縁部の熱溶着部である。
【００３４】
更に、扁平状袋体２は、表層３と裏層４とが複数箇所でスポット的に熱溶着（点又は線による部分的な熱溶着が好ましい。）されていることが好ましい。図１及び図３において、符号２６として示す部分が複数箇所の熱溶着部であり、上記部分的熱溶着は、ガス導入路２３よりも前方位置にあることが特に好ましく、かかる構成によれば、高圧冷却ガス注入時の注入ガスによる扁平状袋体２の膨らみを抑制することができ、しかも扁平状袋体２の奥部から隅部まで隈なく充填した状態での高圧冷却ガスの速やかな注入が可能となる（図３の点線の矢符参照）。
【００３５】
前記ガス導入路２３は、前記扁平状袋体２の略中央方向に向かって延伸した構成であることが好ましく、図１及び図３に示すように、扁平状袋体２の略中央部分の手前付近まで延伸した構成であることが高圧冷却ガスの冷却ガスをより確実に扁平状袋体２の内部の奥部まで充分に充填した状態で注入することができるので特に好ましい。
【００３６】
尚、扁平状袋体の外形は、図示の如き、角を曲面（面取り）とした方形状に限らず、円形、楕円形、多角形等いずれであってもよい。
【００３７】
以上の構成を有する扁平状袋体２の内部に収納される蓄冷層５としては、前記高圧冷却ガスの冷却成分である液化ガスを吸収する吸収材と、前記高圧冷却ガスの冷却成分である液化ガスの冷却によって保冷・蓄冷される蓄冷材の、いずれか一方又は両方から構成されている。
【００３８】
冷却ガスを吸収する吸収材としては、注入され液化状態となった高圧冷却ガスを吸収可能であればよく、例えば、ウール・コットン等の天然素材から成るフェルトシートや布、合成樹脂材料から成るフェルトシートや布、天然素材と合成樹脂材料との混紡素材から成るフェルトシートや布、高分子吸収材から成るフェルトシートや布、合成樹脂製スポンジ、発泡合成樹脂、海綿、綿等を挙げることができる。
【００３９】
また、冷却ガスの冷却によって保冷・蓄冷される蓄冷材としては、氷嚢の代替品として一般的に知られている冷却ジェルシートに用いられている蓄冷ジェル、不凍蓄冷ジェル等の蓄熱材・蓄冷材を挙げることができる。
【００４０】
蓄冷層５として蓄冷材を用いた場合、該蓄冷材は液化ガス吸収能が少ない乃至は無いが、注入される高圧冷却ガスは扁平状袋体２の表層３及び裏層４と蓄冷層５との間に生じる間隙部に液化ガス及び／又は気化ガスとなって充填されることによって該蓄冷層５を冷却して保冷・蓄冷することができる。
【００４１】
本発明の冷却パックシート１に注入される高圧冷却ガスとしては、スプレー式容器（例えば、図３に示す高圧冷却ガススプレー容器７を参照）に充填された態様であることが好ましく、成分としては、例えば、（１）アルコール７〜１５重量％、ジメチルエーテル８０〜９０重量％、水０．５〜５重量％を含有すること、又は（２）アルコール７〜１５重量％、ジメチルエーテル８０〜９０重量％、水０．５〜５重量％、イソプロピルアルコール０．５〜１．５重量％、界面活性剤０．１〜０．５重量％を含有すること、（３）前記（２）の界面活性剤が、シリコン系界面活性剤であること、が好ましい。
【００４２】
前記した高圧冷却ガスの成分（１）であるアルコール、ジメチルエーテル及び水は、例えば、各々７〜１５重量％、８０〜９０重量％及び０．５〜５重量％の範囲で用いられ、これらの範囲外、特に水が０．５重量％未満・５重量％を超えるときは、冷却温度の大幅な低下が見られず、冷却効果が劣ることがある。
【００４３】
また、前記した高圧冷却ガスの成分（２）のイソプロピルアルコールの含有量は、例えば、０．５〜１．５重量％であり、この範囲を外れると冷却効果持続時間の大幅な向上が見られない場合がある。
【００４４】
更に、前記した高圧冷却ガスの成分（２）又は（３）では、含有する界面活性剤によって表面張力が低下していることから、前記蓄冷層５が吸収材を有する構成である場合には弾かれることなく浸透吸収することになる。冷却成分が吸収材に浸透吸収することによって冷却効果・涼感効果を高めることができる。
【００４５】
前記した高圧冷却ガスの成分（２）又は（３）に含有する界面活性剤としては、一般的に一分子中に親水基と疎水基の両者を含み、水に溶解して水の表面張力を低下させるものをいい、本発明に係る着衣用冷却剤を得ることができるものであれば特に制限されるものではない。ノニオン性界面活性剤、アニオン性界面活性剤、カチオン性界面活性剤、両性界面活性剤及び脂肪酸石鹸等の公知公用の界面活性剤の内、本発明の着衣用冷却剤として使用可能なものを特別の制限なく用いることができ、中でも、浸透性の点でシリコン系界面活性剤であること好ましい。
【００４６】
シリコーン系界面活性剤としては、ポリエーテル変性シリコーン、アミノ変性シリコーン、アルコール変性シリコーン、アルキルアラルキルポリエーテル変性シリコーン、エポキシポリエーテル変性シリコーン、メルカプト変性シリコーン、エポキシ変性シリコーン、スルホン酸変性シリコーン、カルボキシル変性シリコーン、リン酸変性シリコーン、アンモニウム塩変性シリコーン、スルホベタイン変性シリコーンなどがあげられるが、好ましくは、、ポリエーテル変性シリコーンが望ましい。ポリエーテル変性シリコーンには、たとえば、ポリオキシエチレン・メチルポリシロキサン共重合体、ポリオキシプロピレン・メチルポリシロキサン共重合体、ポリ（オキシエチレン・オキシプロピレン）メチルポリシロキサン共重合体、メチルポリシロキサン・セチルメチルポリシロキサン・ポリ（オキシエチレン・オキシプロピレン）メチルポリシロキサン共重合体などが挙げられる。これらのシリコーン系界面活性剤は、単独で用いても２種以上を混合して用いてもよい。
【００４７】
前記した高圧冷却ガスの成分（２）又は（３）に含有する界面活性剤の含有量は、例えば、０．１〜０．５重量％であり、この範囲を外れると冷却効果持続時間の大幅な向上が見られない場合がある。
【００４８】
以上、本発明に係る冷却パックシートについて実施例及び図面に基づき説明したが、本発明は上記実施例に限定されず、本発明の範囲内において他の態様を採ることもできる。
【００４９】
例えば、扁平状袋体２の表面に、メッシュ状表面カバー、その他の公知公用の表面カバーを設けてもよい。
【００５０】
また、扁平状袋体２の表層３及び／又は裏層４と、蓄冷層５との間に、公知公用の他の中間層を設けてもよい。
【００５１】
本発明の冷却パックシート１は、扁平状袋体２の冷却ガス注入口２１からガス導入路２３に挿通可能な注入管部（ノズル）６を有する高圧冷却ガススプレー容器７と組合されることにより冷却パックシステムとして構成することができる。
【００５２】
尚、販売に際しては、冷却パックシート１と高圧冷却ガススプレー容器７とを組み合わせた冷却パックシステムとしてセット販売されてもよいし、冷却パックシート１の単体、或いは高圧冷却ガススプレー７の単体で販売されてもよい。
【００５３】
本発明の冷却パックシート１は低コストでの提供が可能なことから、単体販売、セット販売のいずれの場合においても複数枚数を一単位として販売することも可能である。
【００５４】
最後に、上記構成を有する本発明の冷却パックシート１の利用法の一実施例について図３に基き説明する。
【００５５】
冷却パックシート１の利用に際しては、
（１）水に濡らし、
（２）扁平状袋体の表層及び裏層に水気を残した状態で絞り、
（３）高圧冷却ガスを冷却ガス注入口から導入路を介して扁平状袋体の内部に注入し、
（４）冷却した冷却パックシートを、額、首筋、関節部、炎症患部の如き冷やしたい箇所にあてたり、冷やしたい箇所に近接する包帯・サポータ・ヘッドバンド・ヘアバンド・リストバンド・鉢巻・帽子・ヘルメット・衣類・作業着・作業防具・靴類に収納又は取付けたりして用いること。
【００５６】
尚、上記（３）の場合、注入管部（ノズル）６の導入路２３に対する挿入程度は、ノズル６の先端が導入路２３よりも先きに出てもよいし、出なくてもよい。
以上のように用いることにより、炎症患部の冷却や夏季の酷暑時や熱所等での冷却効果や涼感効果を得ることができる。
【符号の説明】
【００５７】
１  冷却パックシート
２  扁平状袋体
２１  冷却ガス注入口
２２  ガス排気口
２３  ガス導入路
２４  熱溶着部
２５  縁部の熱溶着部
２６  複数箇所の熱溶着部
３  表層
４  裏層
５  蓄冷層
６  注入管部（ノズル）
７  高圧冷却ガススプレー容器
【図１】
2013217611.tif 000003
【図２】
2013217611.tif 000004
【図３】
2013217611.tif 000005